(57)【要約】【課題】引き戸用ガイドレール１４をねじ２４により木質系板材からなる天板３の端面に取り付ける際、ねじを天板３の厚さ方向の設定位置にねじ嵌めることが出来るようにする。【解決手段】天板３の前端面に上側の引き戸用ガイドレール１４の基部壁１５を当てがい、その後、貫通孔２２及びねじガイド溝２１を通じて天板３にねじ２４をねじ嵌める。その際、ねじ軸部２５の先端部２５ａをねじガイド溝２１に人間の力で押し込むと、先端部２５ａがねじガイド溝２１に案内されてねじガイド溝２１の開口縁部に食い込む。そのため、ねじ２４を天板３の厚さ方向の設定位置にねじ嵌めることが出来る。【選択図】  図２
2004337487.tif 000002
【特許請求の範囲】
【請求項１】
端部に端面に開口した端面の長手方向に沿うねじガイド溝が形成された木質系板材と、この木質系板材の前記端面に当てられた被取付部材と、この被取付部材に形成された貫通孔及びねじガイド溝を通じて木質系板材にねじ嵌められたねじとを有し、前記ねじガイド溝の幅がねじ軸部の先端部のみが嵌まる幅となされている家具部材。
【請求項２】
端部に端面に開口した端面の長手方向に沿うねじガイド溝が形成された木質系板材と、この木質系板材の前記端面を覆う装飾帯材と、この装飾帯材に当てられた被取付部材と、この被取付部材に形成された貫通孔及びねじガイド溝を通じて木質系板材にねじ嵌められたねじとを有し、前記ねじガイド溝の幅がねじ軸部の先端部のみが嵌まる幅となされ、前記装飾帯材は、それにねじ軸部の先端部を人間の力で押し付けると孔があく強度となされている家具部材。
【発明の詳細な説明】
【０００１】
【発明の属する技術分野】
本発明は、前端面に引き戸用ガイドレールが取り付けられる、収納庫の天板・底板や、棚等として好適な家具部材に関する。
【０００２】
【従来技術の欠点】
例えば、収納庫の引き戸を案内するため、収納庫の、木質系板材（合板等の木材を主素材とする板材）からなる天板の前端面及び同底板の前端面に引き戸用ガイドレールを取り付ける際、引き戸用ガイドレールに形成された貫通孔を通じて天板・底板にねじをねじ嵌めることになるが、その際、ねじの先端部が天板・底板の前端面に当たりスムーズに天板・底板に入り込まないため、ねじを天板・底板の厚さ方向の設定位置にねじ嵌めることが出来ず、また、ねじを天板・底板の前端面に対して垂直に取り付けることが困難であるという欠点があった。
【０００３】
【前記欠点を解消するための手段】
本発明は前記欠点を解消するために以下の如き手段を採用した。
（１）請求項１の発明は、端部に端面に開口した端面の長手方向に沿うねじガイド溝が形成された木質系板材と、この木質系板材の前記端面に当てられた被取付部材と、この被取付部材に形成された貫通孔及びねじガイド溝を通じて木質系板材にねじ嵌められたねじとを有し、前記ねじガイド溝の幅がねじ軸部の先端部のみが嵌まる幅となされているものである。
（２）請求項２の発明は、端部に端面に開口した端面の長手方向に沿うねじガイド溝が形成された木質系板材と、この木質系板材の前記端面を覆う装飾帯材と、この装飾帯材に当てられた被取付部材と、この被取付部材に形成された貫通孔及びねじガイド溝を通じて木質系板材にねじ嵌められたねじとを有し、前記ねじガイド溝の幅がねじ軸部の先端部のみが嵌まる幅となされ、前記装飾帯材は、それにねじ軸部の先端部を人間の力で押し付けると孔があく強度となされているものである。
【０００４】
【発明の効果】
本発明は前記した如き構成によって以下の如き効果を奏する。
（１）請求項１及び２の発明によれば、被取付部材をねじにより木質系板材の端面に取り付ける際、ねじを、貫通孔及びねじガイド溝を通じて木質系板材にねじ嵌めるようにすれば、ねじガイド溝のねじ案内作用により、ねじを木質系板材の厚さ方向の設定位置にねじ嵌めることが出来、また、ねじを木質系板材の端面に対して垂直に取り付けやすい。また、ねじガイド溝に沿う所望の位置にねじガイド溝を利用して、ねじを木質系板材にねじ嵌めることが出来る。
（２）請求項２の発明によれば、木質系板材の、ねじガイド溝が形成された端面を装飾帯材で覆っているので、意匠的にも優れたものとすることが出来る。
【０００５】
【発明の実施の形態】
以下に、２つの発明の実施の形態を説明する。
なお、これらの説明において同一の部材は同一の符号で示す。
【０００６】
［第１の実施の形態］（図１〜図３参照）
なお、この説明において、前とは図１紙面表側を、後とは同裏側をいい、左とは図１左側を、右とは同図右側をいう。
【０００７】
収納庫１は、左右幅が２４０ｃｍ前後で、高さが８４ｃｍ前後で、前後長さが２０〜３０ｃｍ前後である。
【０００８】
収納庫１は、天板３と、底板４と、天板３の左端と底板４の左端とに渡し止められた左の側板５と、天板３の右端と底板４の右端とに渡し止められた右の側板５と、天板３、底板４、左右の側板５の後部に取り付けられた背板６とを有すると共に前部に出し入れ口８を有している。天板３、底板４、側板５及び背板６は、木質系板材により構成されている。
【０００９】
前記収納庫１の物品収納空間９は、左右の仕切板１０により３つに分割され、物品収納空間９には所要段の棚板１１が設けられている。前記仕切板１０の前端面は、天板３の前端面及び底板４の前端面を含む仮想垂直面内に位置している。
【００１０】
前記天板３の前端面及び底板４の前端面の各々に、上下の引き戸用ガイドレール１４が以下に詳述するようにして取り付けられている。引き戸用ガイドレール１４は、基部壁１５と、基部壁１５の下部に連設された、案内溝１７を有する下部壁１６と、基部壁１５の上部に連設された上部壁１８をと有している。なお、引き戸用ガイドレール１４（天板３、底板４）は、左右長さが「Ｌ」である。
【００１１】
前記天板３の前端部に前端面に開口した前端面の長手方向（左右方向）に沿うねじガイド溝２１が形成されている。前記ねじガイド溝２１の幅「Ｈ」は、引き戸用ガイドレール１４を固定するねじ２４のねじ軸部２５の先端部２５ａのみが嵌まる幅となされている。前記引き戸用ガイドレール１４の基部壁１５には、長手方向に所定間隔で前後方向に貫通する貫通孔２２が形成されている。
【００１２】
以下、上側の引き戸用ガイドレール１４を天板３の前端面に取り付ける方法を説明する。
まず、天板３の前端面に上側の引き戸用ガイドレール１４の基部壁１５を当てがい、その後、貫通孔２２及びねじガイド溝２１を通じて天板３にねじ２４をねじ嵌める。その際、ねじ軸部２５の先端部２５ａをねじガイド溝２１に人間の力で押し込むと、先端部２５ａがねじガイド溝２１に案内されてねじガイド溝２１の開口縁部に食い込む。そのため、ねじ２４を天板３の厚さ方向の設定位置にねじ嵌めることが出来、また、ねじ２４の位置規制がねじガイド溝２１の開口縁部で行なわれるので、ねじ２４がぐらぐらと位置が定まらない状態とはならず、その結果、ねじ２４を天板３の端面に対して垂直に取り付ける作業が行ないやすい。そして、ねじ２４を完全にねじ込むと、ねじ２４の頭部２６が貫通孔２２の周縁部を天板３の前端面に押し付ける。
【００１３】
なお、底板４の前端部にも、天板３に形成されたねじガイド溝２１と同様のねじガイド溝２１が形成され、下側の引き戸用ガイドレール１４も前記上側の引き戸用ガイドレール１４と同様に底板４の前端面に取り付けられる。
【００１４】
前記上下の引き戸用ガイドレール１４に、２枚の引き戸２８が左右動自在に案内されている。なお、云うまでもないが、引き戸２８の左右動を許容するように、収納庫１の中央部に引き戸２８が存在しないスペースが形成されている。
前記引き戸２８は、引き戸本体２９と、この引き戸本体２９の前面に取り付けられた把手３０と、引き戸本体２９の後面の４隅に取り付けられた、軸心を前後方向に向けた車輪３２を有する車輪ユニット３１とを有している。前記車輪３２はフランジ３３を有しており、このフランジ３３が案内溝１７に嵌まっている。
【００１５】
［第２の実施の形態］（図４及び図５参照）
なお、この説明において、前とは図４左側を、後とは同右側をいい、左とは図４の紙面裏側を、右とは同表側をいう。
【００１６】
部屋の側壁（図示略）に公知の手段により取り付けられた棚装置３６は、前端部に前端面に開口した前端面の長手方向に沿うねじガイド溝２１が形成された木質系板材からなる棚板３７（例えば、左右長さが１００ｃｍ程度のもの）と、この棚板３７の前端面を覆う装飾帯材３８と、この装飾帯材３８に当てられたフック３９と、このフック３９に形成された貫通孔４０及びねじガイド溝２１を通じて棚板３７にねじ嵌められたねじ２４とを有している。前記ねじガイド溝２１の幅「Ｈ」が、ねじ軸部２５の先端部２５ａのみが嵌まる幅となされ、前記装飾帯材３８は、それにねじ軸部２５の先端部２５ａを人間の力で押し付けると孔があく強度となされている。
【００１７】
なお、フック３９を棚板３７に取り付ける方法は以下の通りである。
まず、装飾帯材３８にフック３９を当てがい、その後、貫通孔４０及びねじガイド溝２１を通じて、棚板３７にねじ２４をねじ嵌める。その際、ねじ軸部２５の先端部２５ａにより作業員の力で装飾帯材３８に孔をあけ、ねじ軸部２５の先端部２５ａをねじガイド溝２１に至らせ、その後、ねじ２４を回動させることになる。
【００１８】
【変形例等】
以下に変形例等について説明を加える。
（１）引き戸用ガイドレール１４及びフック３９が、請求の範囲でいう被取付部材の具体例である。なお、被取付部材は、引き戸用ガイドレール１４やフック３９以外のものであってもよい。
（２）装飾帯材３８の素材は、装飾帯材３８にねじ軸部２５の先端部２５ａを人間の力で押し付けると孔があく強度であれば、任意である。
（３）木質系板材を垂直状態とする場合もある。また、ねじガイド溝２１を形成する端部は、木質系板材の後部、左右部であってもよい。
【図面の簡単な説明】
【図１】本発明の第１の実施の形態を示す簡略正面図である。
【図２】図１のＩＩ−ＩＩ線に沿う中間省略の拡大断面図である。
【図３】図２のＩＩＩ−ＩＩＩ線断面図である。
【図４】本発明の第２の実施の形態を示す中間省略の要部断面図である。
【図５】図４のＶ−Ｖ線断面図である。
【符号の説明】
３  天板
１４  引き戸用ガイドレール（被取付部材）
２１  ねじガイド溝
２２  貫通孔
２４  ねじ
２５  ねじ軸部
２５ａ  先端部
【図１】
2004337487.tif 000003
【図２】
2004337487.tif 000004
【図３】
2004337487.tif 000005
【図４】
2004337487.tif 000006
【図５】
2004337487.tif 000007